(57)【要約】【課題】演奏時において棹の滑り、運指を円滑に行うことができる三味線の演奏補助具を提供する。【解決手段】演奏補助具１１は、全体が絹製で、親指孔部１２と人差し指孔部１３と指すり部１４とを有する。指すり部１４は、親指と人差し指との間を覆う本体部分１５と、これから手のひら側に延出する延出部分１６とを有する。延出部分１６は、演奏補助具を装着したとき、手首側に向かって凸の湾曲形状を有する。延出部分１６の中間部位が手首側に向かって張り出している。人差し指孔部１３は人差し指の第２関節までの高さを有する。親指孔部，人差し指孔部の孔の大きさはゴムで変更可能となっている。棹を保持したとき、各指を絹布で覆っているため、なめらかにかつ自由に手を動かすことができる。【選択図】　　　　図１
2004069998.tif 000002
【特許請求の範囲】
【請求項１】
三味線を演奏する際、親指が挿入される親指孔部と、人差し指が挿入される人差し指孔部と、これらを連結し、三味線の棹に摺接する指すり部とを有する三味線の演奏補助具であって、
絹または絹と同程度の滑りを有する織物を用いて形成した三味線の演奏補助具。
【請求項２】
上記指すり部は、表布と裏布とこれらの間に挟まれた芯布とを有する請求項１に記載の三味線の演奏補助具。
【請求項３】
上記指すり部は、この演奏補助具を装着したとき、親指と人差し指との間を覆う所定幅の本体部分を有するとともに、この本体部分から手のひら側にまで延出して手のひらの一部を覆う延出部分を有する請求項１または請求項２に記載の三味線の演奏補助具。
【請求項４】
上記延出部分は、この演奏補助具を装着したとき、手首側に向かって凸の湾曲形状を有する請求項３に記載の三味線の演奏補助具。
【請求項５】
上記人差し指孔部は、人差し指に装着されたときその第２関節までの高さを有する円筒形状に形成された請求項１または請求項２に記載の三味線の演奏補助具。
【発明の詳細な説明】
【０００１】
【発明の属する技術分野】
この発明は三味線の演奏補助具、例えば「指掛」、「指すり」などと称される三味線の演奏補助具に関する。
【０００２】
【従来の技術】
この種の演奏補助具として知られている「指掛」は、棹の運指をよくするために、親指と人差し指との間に布を通すものである。従来、この「指掛」は、親指を通す孔を布で、人差し指を通す孔をゴム輪でそれぞれ作り、これらの間を薄い一枚の布でつないで作っていた。
【０００３】
【発明が解決しようとする課題】
しかしながら、このような従来の指掛では、以下の欠点があった。第１に、布幅が小さいため、棹のすべりが充分ではなかった。第２に、人差し指はゴム輪に通すのみであり、この部分でのすべりはまったくない状態であった。第３に、指孔同士を連絡する布は、手のひらのこれらの指の開き形状に沿わない直線状であったため、演奏時の外観を損なうものでもあった。
【０００４】
【発明の目的】
この発明は、実際の演奏に適した演奏補助具を提供することを、その目的としている。また、この発明は、演奏時において棹の滑り、運指を円滑に行うことができる三味線の演奏補助具を提供することを、その目的としている。
【０００５】
【課題を解決するための手段】
請求項１に記載の発明は、三味線を演奏する際、親指が挿入される親指孔部と、人差し指が挿入される人差し指孔部と、これらを連結し、三味線の棹に摺接する指すり部とを有する三味線の演奏補助具であって、絹または絹と同程度の滑りを有する織物を用いて形成した三味線の演奏補助具である。
【０００６】
請求項２に記載の発明は、上記指すり部は、表布と裏布とこれらの間に挟まれた芯布とを有する請求項１に記載の三味線の演奏補助具である。
【０００７】
請求項３に記載の発明は、上記指すり部は、この演奏補助具を装着したとき、親指と人差し指との間を覆う所定幅の本体部分を有するとともに、この本体部分から手のひら側にまで延出して手のひらの一部を覆う延出部分を有する請求項１または請求項２に記載の三味線の演奏補助具である。
【０００８】
請求項４に記載の発明は、上記延出部分は、この演奏補助具を装着したとき、手首側に向かって凸の湾曲形状を有する請求項３に記載の三味線の演奏補助具である。
【０００９】
請求項５に記載の発明は、上記人差し指孔部は、人差し指に装着されたときその第２関節までの高さを有する円筒形状に形成された請求項１または請求項２に記載の三味線の演奏補助具である。
【００１０】
【作用】
請求項１〜請求項５に記載の発明によれば、三味線の演奏補助具を、絹または絹と同程度の滑りを有する織物を用いて形成したため、棹に摺接するすべての部位でのすべりが格段に良くなり、運指を良好に行うことができる。特に、棹の先端部まで手を運んだときの運指が良好となる。また、芯布により強度が増し、型くずれを防止することができる。
【００１１】
【発明の実施の形態】
以下、この発明の実施例を図面を参照して説明する。ここでは、「ほととぎす」と称するこの発明に係る三味線演奏用の補助具について説明する。
図１〜図３において示すように、この演奏補助具１１は、全体が絹製であって、以下の構成を有している。すなわち、三味線を演奏する際、親指が挿入される親指孔部１２と、人差し指が挿入される人差し指孔部１３と、これらを連結し、三味線の棹に摺接する指すり部１４とを有する。
この指すり部１４は、表布と裏布とこれらの間に挟まれた芯布とを有する。表布、裏布はいずれも絹製とするが、芯布は木綿など他の布でも構わない。
また、指すり部１４は、この演奏補助具を演奏者が左手に装着したとき、親指と人差し指との間を覆う所定幅の本体部分１５を有するとともに、この本体部分１５から手のひら側にまで延出して手のひらの一部を覆う延出部分１６を有する。
この延出部分１６は、この演奏補助具を装着したとき、手首側に向かって凸の湾曲形状を有する。延出部分１６の中間部位が、図１に示すように、手首側に向かって張り出している。
【００１２】
また、上記人差し指孔部１３は、人差し指に装着されたときその第２関節までの高さを有する円筒形状に形成されている。
同様に、親指孔部１２も同様に所定高さの円筒状に形成されている。
また、これらの親指孔部１２，人差し指孔部１３にはその孔の大きさを変更可能にゴム１７，１８がそれぞれ縫い込まれている。これらのゴム１７，１８は演奏時に棹に接触しない部位、例えば指孔の外側部分に配設されている。
【００１３】
さらに、詳しくは、図１において示すように、内側の親指のたぐり２１については、人差し指が棹の弦を押さえるとき、棹を固定し、内側に支えるため、たぐりがゆるみ、棹が手のひらにかかるように、このたぐり２１で調整する。
また、手が棹の一番上に上がったとき、手は棹を親指と人差し指の中央１．５ｃｍあたりと親指のつけねで押さえるために、延出部分１６の湾曲突出したカーブ２２（上記凸部）が必要である。
人差し指にかかる動きでは、人差し指が弦を押さえたとき、人差し指の第２関節の腹が棹に当たるため、人差し指孔部１３の高さは第２関節の下まで必要とする。
人差し指と親指とがいっぱいに開くように手を中央に広げたとき、棹は押さえのない手の上に位置するが、そのとき、各指を覆っている絹布が存在するため、なめらかにかつ自由に手を動かすことができる。
【００１４】
また、上記人差し指の裏側に配置したゴム１８は、人差し指で弦を押さえると、筋肉の動きによってこのゴム１８が伸び縮みし、右手が棹の上下（長さ）方向に動くときこのゴムが必要となる。
一方、親指孔部１２の裏側のゴム１７は、親指で棹を押さえたり、上下になる右手の動きを助けることとなる。
人差し指と親指とが開くことにより、ピンと張り、また、両指をすぼめることにより両指のつけねに納まるように、この本体部分１５の裏側中央部位と手との間に所定の空間２３（隙間）を持たせている。
また、棹を押さえたり、引っ張ったりする際、親指の外側のたぐり２４が伸び縮みする。
【００１５】
三味線の演奏では、人差し指、中指、くすり指の３本で弦を押さえ、音を出す。その際、３本の指のいずれかが一番下の低い弦を押さえたとき、上記本体部分裏側の空間２３が役に立つ。また、３本の指が一番上にあがったとき、上記カーブ２２が必要となる。そのとき、人差し指孔部１３とともに、親指孔部１２が同時に棹に摺接することとなり、これらの円筒形状が有用となる。
【００１６】
図４，図５においては、この演奏補助具１１を作製する際に使用する型紙を示している。この型紙を絹布にあてて裁断することにより表布、裏布、芯布を作製する。まず、表布、芯地をバイヤスに裁ち、これらをアイロンで接着する。そして、裏布もバイヤスに裁つ。これらを以下の順序で縫うことにより、絹製の補助具を作製する。まず、人差し指側を縫う。ダーツを縫う。ゴムを仮縫いする。人差し指側、親指側２個所を本返し縫いする。側面２ヶ所を縫う。ゴムのみ本返し縫いする。親指側を縫う。アイロン。ダーツ部分の表側と裏側とを閉じる。
なお、この演奏補助具はサイズとして大中小に取りそろえることができる。演奏者の手指の大きさに応じて選択させることができる。また、絹の色などは任意とすることができる。さらには、絹布を縫い合わせて作製したため、その補修、改変などもきわめて容易である。
【００１７】
【発明の効果】
この発明によれば、三味線の演奏に際して棹のすべりを良くすることができ、その運指をスムーズに行うことができる。また、手の親指、人差し指にフィットしてその外観も適切となる。また、耐久性も増す。
【図面の簡単な説明】
【図１】この発明の一実施例に係る三味線の演奏補助具を装着した状態を示すその正面図である。
【図２】この発明の一実施例に係る三味線の演奏補助具を装着した状態を示すその背面図である。
【図３】この発明の一実施例に係る三味線の演奏補助具を装着した演奏状態を示すその正面図である。
【図４】この発明の一実施例に係る三味線の演奏補助具の表布の型紙を示す平面図である。
【図５】この発明の一実施例に係る三味線の演奏補助具の裏布の型紙を示す平面図である。
【符号の説明】
１１　演奏補助具、
１２　親指孔部、
１３　人差し指孔部、
１４　指すり部、
１５　本体部分、
１６　延出部分。
【図１】
2004069998.tif 000003
【図２】
2004069998.tif 000004
【図３】
2004069998.tif 000005
【図４】
2004069998.tif 000006
【図５】
2004069998.tif 000007